(57)【要約】【課題】簡便な操作で厳密な取扱量の管理が可能な化学物質管理システムを提供する。【解決手段】化学物質を収容する容器１０にＲＦＩＤタグ１１を添付する。登録用コンピュータ１００は、化学物質の重量を容器１０ごと計測する電子天秤１５０と、電子天秤１５０で計測中の容器１０のＲＦＩＤタグ１１から化学物質ＩＤを読み取るリーダライタ１６０を備える。登録用コンピュータ１００は、電子天秤１５０で測定された容器１０の重量とともに前記リーダライタ１６０で読み取った化学物質ＩＤとをデータベースサーバ２００に登録する。【選択図】  図１
2010163259.tif 000002
【特許請求の範囲】
【請求項１】
化学物質を収容する容器に添付され化学物質を識別する化学物質識別子が記憶された第１のＲＦＩＤタグと、
化学物質の重量を容器ごと計測する重量計測手段と、
重量計測手段で計測中の容器に添付された第１のＲＦＩＤタグから化学物質識別子を読み取る第１の読取手段と、
重量計測手段で計測された容器の重量と第１の読取手段で読み取られた該容器に係る化学物質識別子とを関連づけて第１の記憶手段に登録する登録手段とを備えた
ことを特徴とする化学物質管理システム。
【請求項２】
取扱者により携帯され該取扱者を識別する取扱者識別子が記憶された第２のＲＦＩＤタグと、
取扱者の第２のＲＦＩＤタグから取扱者識別子を読み取る第２の読取手段とを備え、
前記登録手段は、前記化学物質識別子及び重量の登録に先立ち前記第２の読取手段を用いて取扱者識別子を取得し、前記化学物質識別子及び重量に対して取扱者識別子を関連づけて第１の記憶手段に登録する
ことを特徴とする請求項１記載の化学物質管理システム。
【請求項３】
第２の読取手段は第１及び第２のアンテナを含み、
前記登録手段は、第１のアンテナで取扱者識別子を読み取った場合には化学物質の使用前として前記化学物質識別子，重量及び取扱者識別子を第１の記憶手段に登録し、第２のアンテナで取扱者識別子を読み取った場合には化学物質の使用後として前記化学物質識別子，重量及び取扱者識別子を第１の記憶手段に登録する
ことを特徴とする請求項２記載の化学物質管理システム。
【請求項４】
取扱者の足により入力可能な入力手段と、
取扱者識別子を含む複数の取扱者の情報を記憶する第２の記憶手段と、
第２の記憶手段に記憶されている複数の取扱者情報の一部又は全部を表示するとともに表示された複数の取扱者情報の中から一の取扱者情報を前記入力手段からの入力に基づき選択することにより取扱者を特定する特定手段とを備え、
前記登録手段は、前記化学物質識別子及び重量の登録に先立ち前記特定手段を用いて取扱者を特定し、前記化学物質識別子及び重量に対して、前記特定された取扱者の取扱者識別子を関連づけて第１の記憶手段に登録する
ことを特徴とする請求項１記載の化学物質管理システム。
【請求項５】
化学物質の使用前又は使用後であるかを前記入力手段からの入力に基づき選択する使用状況選択手段を備え、
前記登録手段は、前記使用状況選択手段による選択された使用状況とともに前記化学物質識別子，重量及び取扱者識別子を第１の記憶手段に登録する
ことを特徴とする請求項４記載の化学物質管理システム。
【請求項６】
前記特定手段は、取扱者識別子に対して優先順位を設定し、複数の取扱者情報の一部又は全部を前記優先順位の高い順に並べて表示する
ことを特徴とする請求項５記載の化学物質管理システム。
【請求項７】
前記特定手段は、第１の記憶手段から使用前の登録はあるが使用後の登録のない取扱者識別子を抽出し、該取扱者識別子の優先順位を他の取扱者識別子よりも高く設定する
ことを特徴とする請求項６記載の化学物質管理システム。
【請求項８】
取扱者により携帯され該取扱者を識別する取扱者識別子が記憶された第２のＲＦＩＤタグと、
化学物質の保管庫の鍵を収容した鍵保管庫とを備え、
該鍵保管庫は、取扱者による鍵の取り出しを規制する規制手段と、取扱者の第２のＲＦＩＤタグから取扱者識別子を読み取る第２の読取手段と、第２の読取手段により取扱者識別子を読み取ると鍵の取り出しの規制を解除するよう前記規制手段を制御するとともに取扱者識別子を第３の記憶手段に記憶する制御手段とを備え、
前記特定手段は、所定期間内に第３の記憶手段に記憶された取扱者識別子の優先順位を他の取扱者識別子よりも高く設定する
ことを特徴とする請求項６記載の化学物質管理システム。
【請求項９】
前記特定手段は、所定期間内において第１の記憶手段に記憶された使用前の登録又は使用後の登録の何れか一方或いは双方の登録数を算出し、該登録数の多い順に優先順位を設定する
ことを特徴とする請求項６記載の化学物質管理システム。
【請求項１０】
前記登録手段は、第１の読取手段で読み取られた容器に係る化学物質識別子について使用前の登録はあるが使用後の登録のないデータが第１の記憶手段にある場合には使用状況を使用後とし、当該データが第１の記憶手段にない場合には使用状況を使用前とし、該使用状況とともに前記化学物質識別子及び重量を第１の記憶手段に登録する
ことを特徴とする請求項１又は２に記載の化学物質管理システム。
【発明の詳細な説明】
【技術分野】
【０００１】
本発明は、厳密な取扱量の管理が必要な化学物質の管理システムに関する。
【背景技術】
【０００２】
例えば大学や企業の研究室、医療現場、工場等では種々の化学物質（医薬品を含む）が使用されているが、不正使用を防止するために該化学物質は厳密な取扱量の管理が必要とされている。このような管理を行うシステムとしては特許文献１に記載されているものが知られている。この管理システムでは、電子天秤により化学物質の重量を容器ごと測定し、該電子天秤に接続されたコンピュータに記憶している。なお、該管理システムでは、包装材等を含む容器の重量の個体差に注目して、容器の重量を厳密に測定することにより電子天秤に載せられた化学物質を自動的に判別している。ただし、一部が使用された化学物質の容器を含めた重量は希に一致する場合があるので、この場合には電子天秤に接続されたコンピュータを用いて、候補となる複数の化学物質から取扱者が手動で選択する。
【先行技術文献】
【特許文献】
【０００３】
【特許文献１】特開２００１−３４４３４８
【発明の概要】
【発明が解決しようとする課題】
【０００４】
ところで、化学物質の取扱いの際には通常、取扱者は手を化学物質から保護するために手袋を装着している。また、手袋や容器外面には化学物質やその他の汚れが付着していることが多い。このため前述の管理システムでは、（１）容器外面に付着した汚れにより正確な判別ができない場合がある、（２）コンピュータを操作する際には手袋を外して作業する必要があるので不便である、という問題があった。
【０００５】
本発明は、上記事情に鑑みてなされたものであり、その目的とするところは、簡便な操作で厳密な取扱量の管理が可能な化学物質管理システムを提供することにある。
【課題を解決するための手段】
【０００６】
上記目的を達成するために、本願発明に係る化学物質管理システムは、化学物質を収容する容器に添付され化学物質を識別する化学物質識別子が記憶された第１のＲＦＩＤタグと、化学物質の重量を容器ごと計測する重量計測手段と、重量計測手段で計測中の容器に添付された第１のＲＦＩＤタグから化学物質識別子を読み取る第１の読取手段と、重量計測手段で計測された容器の重量と第１の読取手段で読み取られた該容器に係る化学物質識別子とを関連づけて第１の記憶手段に登録する登録手段とを備えたことを特徴とする。
【０００７】
本発明によれば、化学物質の重量を測定する際に該化学物質を収容する容器に付されたＲＦＩＤタグから化学物質識別子が読み取られるので、化学物質の特定と重量測定の作業を容易に行うことができる。
【０００８】
ところで、この種の管理システムでは、上述したように化学物質の重量の管理だけでなく、取扱者の管理も重要である。そこで、本願では、上記システムにおいて、取扱者により携帯され該取扱者を識別する取扱者識別子が記憶された第２のＲＦＩＤタグと、取扱者の第２のＲＦＩＤタグから取扱者識別子を読み取る第２の読取手段とを備え、前記登録手段は、前記化学物質識別子及び重量の登録に先立ち前記第２の読取手段を用いて取扱者識別子を取得し、前記化学物質識別子及び重量に対して取扱者識別子を関連づけて第１の記憶手段に登録することを特徴とするものを提案する。本発明によれば取扱者を特定する作業を非接触で行うことができるので利便性の高いものとなる。
【０００９】
さらに、本願では、第２の読取手段は第１及び第２のアンテナを含み、前記登録手段は、第１のアンテナで取扱者識別子を読み取った場合には化学物質の使用前として前記化学物質識別子，重量及び取扱者識別子を第１の記憶手段に登録し、第２のアンテナで取扱者識別子を読み取った場合には化学物質の使用後として前記化学物質識別子，重量及び取扱者識別子を第１の記憶手段に登録することを特徴とするものを提案する。本発明によれば化学物質の使用前又は使用後を特定する作業も非接触で行うことができるので利便性の高いものとなる。
【００１０】
一方、取扱者の特定作業の手法として以下のものを提案する。すなわち、本願では、上記システムにおいて、取扱者の足により入力可能な入力手段と、取扱者識別子を含む複数の取扱者の情報を記憶する第２の記憶手段と、第２の記憶手段に記憶されている複数の取扱者情報の一部又は全部を表示するとともに表示された複数の取扱者情報の中から一の取扱者情報を前記入力手段からの入力に基づき選択することにより取扱者を特定する特定手段とを備え、前記登録手段は、前記化学物質識別子及び重量の登録に先立ち前記特定手段を用いて取扱者を特定し、前記化学物質識別子及び重量に対して、前記特定された取扱者の取扱者識別子を関連づけて第１の記憶手段に登録することを特徴とするものを提案する。本発明によれば、手を使うことなく取扱者の特定作業を行うことができるので利便性の高いものとなる。
【００１１】
ところで、上記発明では、上述のように取扱者情報の選択作業を足で操作する入力手段で行っている。したがって、表示される取扱者情報が多数ある場合には選択作業が煩雑となる恐れがある。そこで、前記特定手段は、取扱者識別子に対して優先順位を設定し、複数の取扱者情報の一部又は全部を前記優先順位の高い順に並べて表示すると好適である。
【００１２】
優先順位としては、（１）化学物質の使用前の登録はあるが使用後の登録をしていない取扱者、（２）所定時間内に鍵保管庫から鍵を取り出した取扱者、（３）所定期間内における登録数が多い取扱者を上位として設定すると好適である。
【００１３】
また、本願では、前記登録手段は、第１の読取手段で読み取られた容器に係る化学物質識別子について使用前の登録はあるが使用後の登録のないデータが第１の記憶手段にある場合には使用状況を使用後とし、当該データが第１の記憶手段にない場合には使用状況を使用前とし、該使用状況とともに前記化学物質識別子及び重量を第１の記憶手段に登録することを特徴とするものを提案する。本発明によれば、化学物質の使用前か使用後であるかの使用状況について取扱者の入力操作を必要としないのでさらに利便性が向上する。
【発明の効果】
【００１４】
以上説明したように本発明によれば、化学物質の重量を測定する際に該化学物質を収容する容器に付されたＲＦＩＤタグから化学物質識別子が読み取られるので、化学物質の特定と重量測定の作業を容易に行うことができる。
【図面の簡単な説明】
【００１５】
【図１】化学物質管理システムの概略図
【図２】登録用コンピュータの機能ブロック図
【図３】データベースサーバの機能ブロック図
【図４】ユーザ情報の一例を示す図
【図５】鍵保管庫開閉履歴の一例を示す図
【図６】鍵使用履歴の一例を示す図
【図７】化学物質情報の一例を示す図
【図８】化学物質使用履歴の一例を示す図
【図９】鍵保管庫の機能ブロック図
【図１０】鍵保管庫の動作を説明するフローチャート
【図１１】登録用コンピュータの動作を説明するフローチャート
【図１２】使用状況の選択時における画面の一例を説明する図
【図１３】取扱者の特定時における画面の一例を説明する図
【図１４】第２の実施形態に係る登録用コンピュータの機能ブロック図
【図１５】第２の実施形態に係る登録用コンピュータの動作を説明するフローチャート
【図１６】第３の実施形態に係る登録用コンピュータの機能ブロック図
【図１７】第３の実施形態に係る登録用コンピュータの動作を説明するフローチャート
【発明を実施するための形態】
【００１６】
（第１の実施の形態）
本発明の第１の実施の形態に係る化学物質管理システムについて図面を参照して説明する。図１は化学物質管理システムの概略図である。
【００１７】
この化学物質管理システムは、図１に示すように、化学物質の重量登録用のコンピュータ１００と、各種データを記憶するデータベースサーバ２００と、データ管理用のコンピュータ３００と、化学物質の保管庫４００と、保管庫４００の鍵を収容する鍵保管庫５００とを備えている。登録用コンピュータ１００、データベースサーバ２００、管理用コンピュータ３００及び鍵保管庫５００は、ＬＡＮ６００により互いに通信可能に接続されている。
【００１８】
化学物質が収容された容器１０にはＲＦＩＤタグ１１が添付されている。該ＲＦＩＤタグ１１の固有識別子は化学物質ＩＤとして用いられる。容器１０を保管する保管庫４００には扉に施錠されており、解錠には鍵２０が必要となる。該鍵２０にはＲＦＩＤタグ２１が添付されている。該ＲＦＩＤタグ２１の固有識別子は鍵ＩＤとして用いられる。
【００１９】
登録用コンピュータ１００には、化学物質の重量を容器１０ごと計測する電子天秤１５０と、電子天秤１５０で測定中の化学物質の容器１０に添付されたＲＦＩＤタグ１１から化学物質ＩＤを非接触で読み取るリーダライタ１６０と、取扱者の足により入力を行う入力手段であるフットスイッチ１７０とが接続されている。リーダライタ１６０のアンテナ１６１は電子天秤１５０の側方に設置されており、電子天秤１５０上の容器１０に添付されたＲＦＩＤタグ１１と通信可能となっている。フットスイッチ１７０は、一又は複数のスイッチ素子を備えており、登録用コンピュータ１００で動作するアプリケーションにおいて選択操作等を可能としている。なお、本実施の形態では、取扱者の足により入力を行う入力手段としてオン・オフという２値の入力のみ可能なフットスイッチを用いたが、可変抵抗等を利用して連続した多値を入力可能なフットペダルや、上下左右への回転情報を入力可能なトラックボールなどを利用してもよく、さらにはこれらの入力手段を複数組み合わせても良い。
【００２０】
図２を参照して登録用コンピュータ１００について詳述する。図２には登録用コンピュータの機能ブロック図である。登録用コンピュータ１００は、図２に示すように、電子天秤１５０から測定値を受信する天秤制御部１１１と、リーダライタ１６０を制御するリーダライタ制御部１１２と、化学物質の重量をデータベースサーバ２００に登録する登録処理部１１３と、各種情報を表示する表示部１１４と、登録処理部１１３による登録処理に係る表示内容を表示部１１４に表示するための表示制御部１１５とを備えている。なお本実施の形態では、登録処理部１１３と表示制御部１１５とは１つのアプリケーション（登録アプリケーション１１６）として実装されている。登録アプリケーション１１６は、取扱者からの指示により又は天秤制御部１１１からの指示により起動する。登録用コンピュータ１００の動作については後述する。
【００２１】
次に図３を参照してデータベースサーバ２００について説明する。図３はデータベースサーバの機能ブロック図である。データベースサーバ２００は、データを蓄積するデータベース２１０と、取扱者に関する情報を処理するユーザ管理部２２１と、鍵２０に関する情報を処理する鍵管理部２２２と、化学物質に関する情報を処理する化学物質管理部２２３と、管理用コンピュータ３００に対して各管理部２２１，２２２，２２３で処理された情報に対するアクセスを容易にするためのユーザインタフェイス２３１とを備えている。
【００２２】
データベース２１０には、ユーザ情報２１１，鍵保管庫開閉履歴２１２，鍵使用履歴２１３，化学物質情報２１４，化学物質使用履歴２１５が記憶されている。ユーザ情報２１１は、図４に例示するように、取扱者のユーザＩＤと名前等の属性情報が記憶されている。鍵保管庫開閉履歴２１２は、図５に例示するように、鍵保管庫５００を開放した日時及び閉鎖した日時、開放・閉鎖を行った取扱者のユーザＩＤが記憶されている。鍵使用履歴２１３は、図６に例示するように、鍵ＩＤと、鍵２０の取り出し又は収容された日時、取り出し又は収容の何れかを区別する「状況」、鍵２０の取り出し又は収容を行った取扱者のユーザＩＤが記憶されている。化学物質情報２１４は、図７に例示するように、化学物質ＩＤと、名称や使用期限等の属性情報が記憶されている。化学物質使用履歴２１５は、図８に例示するように、化学物質ＩＤと、当該化学物質の使用前における重量測定の日時、同使用後における重量測定の日時、当該化学物質の使用前における測定重量、同使用後における測定重量、当該化学物質の取扱者のユーザＩＤが記憶されている。
【００２３】
前記ユーザ管理部２２１は主としてユーザ情報２１１に対するアクセスを制御するものであり、管理用コンピュータ３００からのデータの追加・削除・修正・閲覧の要求に対する処理や、登録用コンピュータ１００や鍵保管庫５００からの問い合わせに対する回答処理などを行う。前記鍵管理部２２２は主として鍵保管庫開閉履歴２１２及び鍵使用履歴２１３に対するアクセスを制御するものであり、管理用コンピュータ３００からのデータの閲覧要求に対する処理や、鍵保管庫５００からの登録処理などを行う。前記化学物質管理部２２３は主として化学物質情報２１４及び化学物質使用履歴２１５に対するアクセスを制御するものであり、管理用コンピュータ３００からのデータの閲覧要求に対する処理や、登録用コンピュータ１００からの登録処理などを行う。
【００２４】
管理用コンピュータ３００はデータベースサーバ２００にアクセスし、該データベースサーバ２００に蓄積された各種データの閲覧やマスタ情報等の保守を行う。前述したようにデータベースサーバ２００には管理用コンピュータ３００用のユーザインタフェイス２３１が実装されており、管理用コンピュータ３００は該ユーザインタフェイス２３１を介してデータベースサーバ２００内のデータにアクセス可能となっている。
【００２５】
次に、鍵保管庫５００について図９を参照して説明する。図９は鍵保管庫の機能ブロック図である。鍵保管庫５００は、図９に示すように、扉（図示省略）の解錠・施錠を行う電子錠５０１と、扉の開閉状況を検出する扉開閉センサ５０２と、電子錠５０１の制御やデータベースサーバ２００への登録処理等を行う鍵保管庫制御部５０３と、鍵保管庫５００内の鍵２０に添付されたＲＦＩＤタグ２１から鍵ＩＤを読み取るタグ読取制御部５０４と、ＲＦＩＤタグ２１の読み取り用のアンテナ５０５と、取扱者が携行する非接触ＩＣカード（図示省略）からユーザＩＤを読み取るＩＣカード読取制御部５０６と、該非接触ＩＣカードの読み取り用のアンテナ５０７とを備えている。なお、取扱者が携行する非接触ＩＣカード（図示省略）は板状部材にＲＦＩＤタグが埋め込まれたものであり該ＲＦＩＤタグの固有識別子をユーザＩＤとして用いる。鍵保管庫制御部５０３の動作については後述する。
【００２６】
本実施の形態に係る化学物質管理システムの利用形態について説明する。管理者は、予め管理用コンピュータ３００を用いてユーザ情報２１１や化学物質情報２１４を入力しておく。化学物質を使用する取扱者は、自身のユーザＩＤが記憶されたＩＣカードを用いて鍵保管庫５００を開け、所望の化学物質が収容されている保管庫４００の鍵２０を取り出す。取扱者は該鍵２０を用いて保管庫４００を開け、化学物質を取り出す。次に、取扱者は登録用コンピュータ１００を用いて使用前の化学物質の重量を登録する。化学物質の使用が終わると取扱者は、登録用コンピュータ１００を用いて使用後の化学物質の重量を登録する。次に、取扱者は、保管庫４００を鍵２０を用いて開け、化学物質を保管庫４００に戻す。最後に、取扱者はＩＣカードを用いて鍵保管庫５００を開け、鍵２０を戻す。なお、鍵２０は化学物質の使用前に鍵保管庫５００に戻し、使用後に再び鍵保管庫５００から取り出してもよい。
【００２７】
次に、上記利用形態に則して本実施の形態に係る化学物質管理システムの動作について説明する。まず、鍵保管庫５００の動作について図１０のフローチャートを参照して説明する。
【００２８】
鍵保管庫５００の鍵保管庫制御部５０３は、ＩＣカード読取制御部５０６でＩＣカードからユーザＩＤが読み取られると（ステップＳ１）、当該ユーザＩＤが登録されているか否かをデータベースサーバ２００に問い合わせる（ステップＳ２）。問い合わせの結果ユーザＩＤが未登録の場合、当該取扱者は化学物質の使用権限がないとみなし処理を終了する（ステップＳ３）。問い合わせの結果ユーザＩＤが登録済みの場合、鍵保管庫制御部５０３は電子錠５０１を解錠制御するとともに、鍵保管庫開閉履歴２１２にデータを追記する（ステップＳ４，Ｓ５）。鍵保管庫制御部５０３は、扉が開放中において鍵２０の鍵保管庫５００からの取り出し又は収納を検出すると、当該鍵２０について鍵使用履歴２１３にデータを追記する（ステップＳ６，Ｓ７）。なお、鍵２０の取り出しは、鍵２０に付設されているＲＦＩＤタグ２１が読取可能から読取不可となったことにより検出する。また、鍵２０の収納は、新たにＲＦＩＤタグ２１の読み取りが可能となったことにより検出する。鍵保管庫制御部５０３は、扉開閉センサ５０２により扉の閉鎖を検出すると（ステップＳ８）、鍵保管庫制御部５０３は電子錠５０１を施錠制御するとともに、鍵保管庫開閉履歴２１２にデータを追記する（ステップＳ９，Ｓ１０）。
【００２９】
次に、取扱者が化学物質の使用前又は使用後に重量をデータベースサーバ２００に登録する際の処理について図１１を参照して説明する。取扱者が化学物質が入った容器１０を電子天秤１５０に載せると、電子天秤１５０は容器１０の測定重量を登録用コンピュータ１００に送信し、登録用コンピュータ１００の登録処理部１１３は天秤制御部１１１を介して該測定重量を受信する（ステップＳ２１）。次に、登録処理部１１３は、当該登録処理が化学物質の使用前か又は使用後であるかを取扱者に選択させる（ステップＳ２２）。この選択処理時における表示部１１４の画面内容の一例を図１２に示す。図１２に示すように、表示部１１４には「使用前」及び「使用後」並びに「キャンセル」を選択するためのボタンが表示され、フットスイッチ１７０の選択により何れかのボタンが選択される。次に、登録処理部１１３は、取扱者の特定処理を行う（ステップＳ２３）。該特定処理では、図１３に例示するように取扱者のリストを表示する。そして、フットスイッチ１７０の選択により何れかの取扱者が選択される。
【００３０】
ここで、取扱者のリストはデータベースサーバ２００のユーザ情報２１１に格納されているデータである。また、本願発明では、当該リストの表示順序に特徴がある。すなわち、本願発明では、ユーザ情報２１１に格納されている各データに優先順位を設定し、該優先順位に従って表示順序を制御している。優先順位の設定基準としては、例えば、（ａ）使用前の登録を行ったが使用後の登録はまだ行っていない取扱者、（ｂ）所定の期間内において鍵保管庫５００を使用した取扱者、（ｃ）所定の期間内において使用前又は使用後の登録を行った回数が多い取扱者、（ｄ）上記（ａ）〜（ｃ）の任意の組合せ、などが挙げられる。これにより、表示部１１４には実際の取扱者である可能性が高いもの順にリストが表示されるので、フットスイッチ１７０の平均操作回数を軽減することができる。したがって利便性が向上する。また、さらに優先順位が所定の値以下の場合には当該取扱者のデータについては表示を制限するとともに、表示部１１４のリストには「その他のユーザ」の項目を表示して、該当する取扱者のデータを別のリストとして表示すると好適である。
【００３１】
次に、登録処理部１１３は、リーダライタ制御部１１２を用いて電子天秤１５０に載せられている容器１０のＲＦＩＤタグ１１から化学物質ＩＤを読み取る（ステップＳ２４）。最後に登録処理部１１３は、測定重量をデータベースサーバ２００に登録する（ステップＳ２５）。より具体的には、前記ステップＳ２２で「使用前」が選択された場合には、登録処理部１１３は、化学物質ＩＤ、使用前日時、使用前重量、ユーザＩＤを登録する。ここで、使用前日時は現在日時又は前記ステップＳ２１の処理日時を設定し、使用前重量は前記ステップＳ２１で取得した測定重量を設定する。一方、前記ステップＳ２２で「使用前」が選択された場合には、化学物質ＩＤ及びユーザＩＤが一致し、且つ、使用後日時及び使用後重量の欄が空であるデータに対して、使用後日時及び使用後重量を追記する。ここで、使用後日時は現在日時又は前記ステップＳ２１の処理日時を設定し、使用後重量は前記ステップＳ２１で取得した測定重量を設定する。
【００３２】
以上のように本実施の形態に係る化学物質管理システムでは、化学物質の重量測定の際には取扱者は登録用コンピュータ１００をフットスイッチ１７０により操作可能なので利便性が向上する。また、本実施の形態では、取扱者の特定処理において表示部１１４には取扱者のリストが実際の取扱者である確立が高いもの順に表示されるので、フットスイッチ１７０の平均操作量を軽減できる。これにより更に利便性が向上したものとなる。
【００３３】
（第２の実施の形態）
本発明の第２の実施の形態に係る化学物質管理システムについて図面を参照して説明する。本実施の形態に係る化学物質管理システムが第１の実施の形態と異なる点は、登録用コンピュータ１００における使用状況の選択処理及び取扱者の特定処理にある。他の構成・動作については第１の実施の形態と同様なので、ここでは相違点のみを説明する。
【００３４】
本実施の形態に係る登録用コンピュータ１００は、図１４に示すように、電子天秤１５０から測定値を受信する天秤制御部１１１と、リーダライタ１６０を制御するリーダライタ制御部１１２と、化学物質の重量をデータベースサーバ２００に登録する登録処理部１１３と、各種情報を表示する表示部１１４と、登録処理部１１３による登録処理に係る表示内容を表示部１１４に表示するための表示制御部１１５と、取扱者が携行する非接触ＩＣカード（図示省略）からユーザＩＤを読み取るＩＣカード読取制御部１２１と、該非接触ＩＣカードの読み取り用の２つのアンテナ１２２，１２３とを備えている。なお、第１の実施の形態とは異なり取扱者の足により入力を行う入力手段であるフットスイッチ等は備えていない。またＩＣカードは鍵保管庫５００で用いられるものと共通である。
【００３５】
前記２つのアンテナ１２２，１２３のうち一方のアンテナ１２２は、使用前登録において使用され、他方のアンテナ１２３は使用前登録において使用される。これにより、ＩＣカードからユーザＩＤが読み取られたアンテナを特定することにより使用前登録又は使用後登録であるかを特定することができる。
【００３６】
次に、取扱者が化学物質の使用前又は使用後に重量をデータベースサーバ２００に登録する際の処理について図１５を参照して説明する。取扱者が化学物質が入った容器１０を電子天秤１５０に載せると、電子天秤１５０は容器１０の測定重量を登録用コンピュータ１００に送信し、登録用コンピュータ１００の登録処理部１１３は天秤制御部１１１を介して該測定重量を受信する（ステップＳ３１）。次に、登録処理部１１３は、ＩＣカード読取制御部１２１でＩＣカードからユーザＩＤが読み取られると（ステップＳ３２）、当該ユーザＩＤが登録されているか否かをデータベースサーバ２００に問い合わせる（ステップＳ３３）。問い合わせの結果ユーザＩＤが未登録の場合、当該取扱者は化学物質の使用権限がないとみなし処理を終了する（ステップＳ３４）。問い合わせの結果ユーザＩＤが登録済みの場合、登録処理部１１３は、リーダライタ制御部１１２を用いて電子天秤１５０に載せられている容器１０のＲＦＩＤタグ１１から化学物質ＩＤを読み取る（ステップＳ３５）。最後に登録処理部１１３は、測定重量をデータベースサーバ２００に登録する（ステップＳ３６〜Ｓ３８）。より具体的には、前記ステップＳ３２におけるユーザＩＤの読み取りが使用前登録用アンテナ１２２により行われていた場合には、登録処理部１１３は、化学物質ＩＤ、使用前日時、使用前重量、ユーザＩＤを登録する（ステップＳ３６，Ｓ３７）。ここで、使用前日時は現在日時又は前記ステップＳ３１の処理日時を設定し、使用前重量は前記ステップＳ３１で取得した測定重量を設定する。一方、前記ステップＳ３２におけるユーザＩＤの読み取りが使用後登録用アンテナ１２３により行われていた場合には、化学物質ＩＤ及びユーザＩＤが一致し、且つ、使用後日時及び使用後重量の欄が空であるデータに対して、使用後日時及び使用後重量を追記する（ステップＳ３６，Ｓ３８）。ここで、使用後日時は現在日時又は前記ステップＳ３１の処理日時を設定し、使用後重量は前記ステップＳ３１で取得した測定重量を設定する。
【００３７】
以上のように本実施の形態に係る化学物質管理システムでは、化学物質の重量測定の際には取扱者は登録用コンピュータ１００の２つのアンテナ１２２，１２３のうち何れかにＩＣカードをかざすだけで使用状況及び取扱者の特定が可能なので利便性が向上する。
【００３８】
（第３の実施の形態）
本発明の第３の実施の形態に係る化学物質管理システムについて図面を参照して説明する。本実施の形態に係る化学物質管理システムが第２の実施の形態と異なる点は、登録用コンピュータ１００における使用状況の特定処理にある。他の構成・動作については第２の実施の形態と同様なので、ここでは相違点のみを説明する。
【００３９】
本実施の形態に係る登録用コンピュータ１００は、図１６に示すように、電子天秤１５０から測定値を受信する天秤制御部１１１と、リーダライタ１６０を制御するリーダライタ制御部１１２と、化学物質の重量をデータベースサーバ２００に登録する登録処理部１１３と、各種情報を表示する表示部１１４と、登録処理部１１３による登録処理に係る表示内容を表示部１１４に表示するための表示制御部１１５と、取扱者が携行する非接触ＩＣカード（図示省略）からユーザＩＤを読み取るＩＣカード読取制御部１２１と、該非接触ＩＣカードの読み取り用のアンテナ１２５とを備えている。なお、第１の実施の形態とは異なり取扱者の足により入力を行う入力手段であるフットスイッチ等は備えていない。またＩＣカードは鍵保管庫５００で用いられるものと共通である。
【００４０】
前記第２の実施の形態では、２つのアンテナ１２２，１２３を備え、ＩＣカードからユーザＩＤが読み取られたアンテナを特定することにより使用前登録又は使用後登録であるかを特定していた。一方、本実施の形態では、データーベースサーバ２００を参照して使用状況の特定を行う。以下、取扱者が化学物質の使用前又は使用後に重量をデータベースサーバ２００に登録する際の処理について図１７を参照して説明する。
【００４１】
取扱者が化学物質が入った容器１０を電子天秤１５０に載せると、電子天秤１５０は容器１０の測定重量を登録用コンピュータ１００に送信し、登録用コンピュータ１００の登録処理部１１３は天秤制御部１１１を介して該測定重量を受信する（ステップＳ４１）。次に、登録処理部１１３は、リーダライタ制御部１１２を用いて電子天秤１５０に載せられている容器１０のＲＦＩＤタグ１１から化学物質ＩＤを読み取る（ステップＳ４２）。次に、登録処理部１１３は、使用状況の特定を行う。具体的には、前記ステップＳ４２で取得した化学物質ＩＤをキーとして、データベースサーバ２００の化学物質使用履歴２１５に使用前の測定重量等が登録されているが使用後の測定重量等が登録されていないデータが存在するか否かを問い合わせる（ステップＳ４３）。そして、該データが存在する場合には使用状況を「使用後」であると判定し（ステップＳ４４，Ｓ４５）、該データが存在しない場合には使用状況を「使用前」であると判定する（ステップＳ４４，Ｓ４６）。
【００４２】
次に、登録処理部１１３は、ＩＣカード読取制御部１２１でＩＣカードからユーザＩＤが読み取られると（ステップＳ４７）、当該ユーザＩＤが登録されているか否かをデータベースサーバ２００に問い合わせる（ステップＳ４８）。問い合わせの結果ユーザＩＤが未登録の場合、当該取扱者は化学物質の使用権限がないとみなし処理を終了する（ステップＳ４９）。問い合わせの結果ユーザＩＤが登録済みの場合、登録処理部１１３は、データベースサーバへの登録処理を行う（ステップＳ５０）。より具体的には、前記使用状況の特定処理により使用状況が使用前であると判定された場合には、登録処理部１１３は、化学物質ＩＤ、使用前日時、使用前重量、ユーザＩＤを登録する。ここで、使用前日時は現在日時又は前記ステップＳ４１の処理日時を設定し、使用前重量は前記ステップＳ４１で取得した測定重量を設定する。一方、前記使用状況の特定処理により使用状況が使用後であると判定された場合には、化学物質ＩＤ及びユーザＩＤが一致し、且つ、使用後日時及び使用後重量の欄が空であるデータに対して、使用後日時及び使用後重量を追記する。ここで、使用後日時は現在日時又は前記ステップＳ４１の処理日時を設定し、使用後重量は前記ステップＳ４１で取得した測定重量を設定する。
【００４３】
以上のように本実施の形態に係る化学物質管理システムでは、使用状況の特定処理が自動で行われ、また、取扱者は登録用コンピュータ１００のアンテナ１２５にＩＣカードをかざすだけで取扱者の特定が可能なので利便性が向上する。
【００４４】
なお、本実施の形態ではＩＣカードを用いて取扱者の特定を行っているが、第１の実施の形態のようにフットペダル等により取扱者を選択するようにしても良い。
【００４５】
以上本発明の実施の形態について詳述したが本発明はこれに限定されるものではない。例えば、使用状況の選択及び取扱者の特定のための手段として、前記第１の実施の形態ではフットスイッチ１７０を用い、第２及び第３の実施の形態ではＩＣカードを用いたが、これらを組み合わせてもよい。
【００４６】
また、上記実施の形態では、電子天秤１５０に容器１０が載せられると測定重量が登録用コンピュータ１００に送信され、登録処理部１１３等は該測定重量の受信を契機に起動するようにしたが、取扱者からの指示により起動するようにしてもよい。
【００４７】
また、上記実施の形態では、化学物質の重量を登録処理・データの管理処理・データの蓄積という３つの機能を、それぞれ登録用コンピュータ１００・管理用コンピュータ３００・データベースサーバ２００に実装したが、これらの機能の実装形態は不問である。例えば、前記全ての機能を一つのコンピュータに実装してもよいし、或いは一つの機能を複数のコンピュータに分散して実装するようにしてもよい。
【符号の説明】
【００４８】
１０…容器、１１…ＲＦＩＤタグ、２０…鍵、２１…ＲＦＩＤタグ、１００…登録用コンピュータ、１５０…電子天秤、１６０…リーダライタ、１７０…フットスイッチ、２００…データベースサーバ、３００…管理用コンピュータ、４００…化学物質の保管庫、５００…鍵保管庫。
【図１】
2010163259.tif 000003
【図２】
2010163259.tif 000004
【図３】
2010163259.tif 000005
【図４】
2010163259.tif 000006
【図５】
2010163259.tif 000007
【図６】
2010163259.tif 000008
【図７】
2010163259.tif 000009
【図８】
2010163259.tif 000010
【図９】
2010163259.tif 000011
【図１０】
2010163259.tif 000012
【図１１】
2010163259.tif 000013
【図１２】
2010163259.tif 000014
【図１３】
2010163259.tif 000015
【図１４】
2010163259.tif 000016
【図１５】
2010163259.tif 000017
【図１６】
2010163259.tif 000018
【図１７】
2010163259.tif 000019